(57)【要約】【課題】  本願発明は、ハウス内に複数並設する培地で植物を栽培する植物栽培設備において、円滑に人工受粉を行うことのできる装置を提供することを課題とする。【解決手段】  ハウス（Ｈ）内に設定間隔で、かつ、前後方向に長い形状で、複数設置している植物栽培用の培地（１）間を走行する走行車体（３０）に、走行方向と交差する方向に送風する送風機（３７）を設け、送風機（３７）を強弱又は間欠的に運転して花に送風作用を与えて花（ｈ）を揺動させることで、受粉を活性化させる。【選択図】  図３
2019041584.tif 000002
【特許請求の範囲】
【請求項１】
ハウス（Ｈ）内に設定間隔で複数設置している植物栽培用の培地（１）間を走行する走行車体（３０）に、走行方向と交差する方向に送風する送風機（３７）を設けたことを特徴とする植物栽培設備における人工受粉用車両。
【請求項２】
送風機（３７）は送風向きがそれぞれ反対方向に複数設けることを特徴とする請求項１記載の植物栽培設備における人工受粉用車両。
【請求項３】
送風機（３７）は斜め上方を向く姿勢に設けることを特徴とする請求項１又は請求項２記載の植物栽培設備における人工受粉用車両。
【請求項４】
送風機（３７）は走行車体（３０）の上部に設ける支持体（３９）に支持され、該支持体（３９）は昇降装置（４０）により上下方向に昇降可能に構成することを特徴とする請求項１から請求項３のいずれかに記載の植物栽培設備における人工受粉用車両。
【請求項５】
送風機（３７）は間欠運転モード又は強弱運転モードによる運転を選択可能とすることを特徴とする請求項１から請求項４のいずれかに記載の植物栽培設備における人工受粉車両。
【請求項６】
走行車体（３０）は設定間隔毎に停止して間欠運転モード又は強弱運転モードを行うことを特徴とする請求項５記載の植物栽培設備における人工受粉用車両。
【発明の詳細な説明】
【技術分野】
【０００１】
本発明は、ハウスやいわゆる植物工場等の植物栽培設備の分野に関する。
【背景技術】
【０００２】
特許文献１には、トマト等の果実の植物の花に、無人飛行体に搭載する送風装置からエアーを供給して人口受粉させる技術が記載されている。
【０００３】
特許文献２には、ハウス内を走行する走行車体に振動装置を設け、植物の花に振動を与えて人工受粉させる技術が開示されている。
【先行技術文献】
【特許文献】
【０００４】
【特許文献１】特開２０１７−１２１３７号公報
【特許文献２】特開２０１１−２００１９６号公報
【発明の概要】
【発明が解決しようとする課題】
【０００５】
特許文献１においては、ハウス内で植物を養液で栽培するいわゆる植物工場内で飛行するのは困難である。
【０００６】
特許文献２においては、装置が高価になるという欠点がある。
【０００７】
本願発明は、ハウス内に複数並設する前後方向に長い培地で植物を栽培する植物栽培設備において、培地全体の植物に円滑に人工受粉を行うことのできる装置を提供することを課題とする。
【課題を解決するための手段】
【０００８】
かかる課題を解決するために、請求項１記載の発明は、
ハウス（Ｈ）内に設定間隔で複数設置している植物栽培用の培地（１）間を走行する走行車体（３０）に、走行方向と交差する方向に送風する送風機（３７）を設けたことを特徴とする植物栽培設備における人工受粉用車両とする。
【０００９】
請求項２記載の発明は、
送風機（３７）は送風向きがそれぞれ反対方向に複数設けることを特徴とする請求項１記載の植物栽培設備における人工受粉用車両とする。
【００１０】
請求項３記載の発明は、
送風機（３７）は斜め上方を向く姿勢に設けることを特徴とする請求項１又は請求項２記載の植物栽培設備における人工受粉用車両とする。
【００１１】
請求項４記載の発明は、
送風機（３７）は走行車体（３０）の上部に設ける支持体（３９）に支持され、該支持体（３９）は昇降装置（４０）により上下方向に昇降可能に構成することを特徴とする請求項１から請求項３のいずれかに記載の植物栽培設備における人工受粉用車両とする。
【００１２】
請求項５記載の発明は、
送風機（３７）は間欠運転モード又は強弱運転モードを備えることを特徴とする請求項１から請求項４のいずれかに記載の植物栽培設備における人工受粉車両とする。
【００１３】
請求項６記載の発明は、
走行車体（３０）は設定間隔毎に停止して間欠運転モード又は強弱運転モードを行うことを特徴とする請求項５記載の植物栽培設備における人工受粉用車両とする。
【発明の効果】
【００１４】
本発明により、前後方向に延びる培地の植物全体に良好に送風することができ、受粉を良好に行うことができる。
【図面の簡単な説明】
【００１５】
【図１】植物栽培設備における養液の経路を示す図
【図２】植物栽培設備内を説明する図
【図３】植物栽培設備内を説明する図
【図４】側面から見た人工受粉用車両を示す図
【図５】背面から見た人工受粉用車両を示す図
【図６】人工受粉用車両の昇降動作を示す図
【図７】苗の茎及び花を示す図
【図８】別実施例の側面から見た人工授粉用車両を示す図
【図９】背面から見た人工受粉用車両を示す図
【図１０】人工受粉用車両のブロック図
【発明を実施するための形態】
【００１６】
本発明の実施の形態の植物栽培設備について、以下説明する。
【００１７】
図１及び図２に示すハウスＨは太陽光を透過するビニルハウス式の植物栽培設備である。ハウスＨ内には前後方向に延びる栽培用の培地１を多数並設する。培地１に移植した多数の苗の茎ｋそれぞれは誘引紐２に沿って伸長する。誘引紐２の上端には誘引フック３を設け、誘引フック３は培地１と交差する姿勢の誘引ワイヤ４に引っ掛ける構成である。
【００１８】
培地１に養液を供給するシステムについて図１に基づいて説明する。
【００１９】
肥料を収容する肥料タンク５と、ＰＨ調整剤を収容するＰＨ調整タンク６と、希釈用の原水を収容する原水タンク７、原水及び肥料を混合して養液にする混合タンク８を備える。
【００２０】
混合タンク８から培地１へ養液を供給する供給管９と、培地１から養液を排出する排液管１０を設ける。供給管９には養液を培地１に供給する供給ポンプ１１を設け、排液管１０は排出された養液を収容する排液タンク１３に接続する。排液タンク１３の養液を混合タンク８に供給する排液ポンプ１２及び戻し管１４を設け、養液を再利用する構成である。養液はその濃度（いわゆるＥＣ値）が設定値になるように原水・肥料・ＰＨ調整剤を適宜ポンプ１６、１７、１８で供給する。
【００２１】
ハウスＨの天井部２０には換気用の開閉窓２１を設ける。また、ハウスＨの上部にはノズルで細霧を噴射する加湿器２２を設ける。ハウスＨ内には、ハウスＨを透過する太陽光を遮光する遮光カーテン２３を設ける。開閉窓２１、加湿器２２、遮光カーテン２３は、植物栽培設備の制御部（図示せず）で制御する構成である。また、ハウスＨを照射する日射量を計測する日射計（図示せず）を設ける。
【００２２】
培地１間の間の床面ＧＬ近傍には、暖房用の温湯が通過する温湯管２７が培地１に沿う方向に延びている。
【００２３】
培地１間を走行する人工受粉用車両２９について説明する。
【００２４】
人工受粉用車両２９の下部の走行車体３０には、床面ＧＬを走行する一対の前側遊転輪３１と、後側遊転輪３２を備える。培地１間を走行するときに温湯管２７上を走行する駆動輪３３と従動輪３４を備える。駆動輪３３はバッテリ等の駆動源３５により前後方向に駆動する。
【００２５】
走行車体３０の後部には、走行条件を設定する操作盤３６を設ける。走行車体３０の上方には送風機３７を設ける。送風機３７は、走行方向と交差する方向、すなわち、左右方向の培地１側に向かって送風する構成である。また、本実施の形態の送風機３７は、隣接する位置に一対設けており、それぞれ反対方向の培地１に向かって送風する構成である。送風機３７の下方にはカメラ３８を設けている。カメラ３８は苗の茎ｋに咲く花ｈを撮像するものである。送風機３７とカメラ３８は支持体３９に支持される構成とし、支持体３９は昇降モータ４０により図６に示すように昇降動作可能に構成している。
【００２６】
操作盤３６には送風機３７の送風のモードを設定する設定スイッチ４１を設ける。例えば、送風機３７を設定時間毎に運転したり停止したりする間欠運転モードや、設定時間毎に強風運転や弱風運転を行う強弱運転モードを設定できるようにする。また、培地１間を設定速度で自動往復走行できるモードや、走行中に設定距離毎に停止する間欠走行モードを設定できるようにする。
【００２７】
人工受粉用車両２９には図１０に示す制御部Ｓを備えている。
【００２８】
次に、人工受粉の運転について説明する。
【００２９】
オペレータは培地１間の走行始端部に人工受粉用車両２９を設置し、操作盤３６で運転条件を設定して走行開始させる。人工受粉用車両２９は無人で温湯管２７上を走行しながら、送風機３７を運転する。送風機３７は左右両側の培地１の茎ｋと対向しているので、設定速度で走行しながら送風することで、送風機３７の送風作用で茎ｋ１や花ｈが揺動すると、花粉（図示せず）が飛び受粉することができる。例えば、強弱運転モードについて説明すると、人工受粉用車両２９を設定距離走行させて停止し、送風機３７が設定時間強く送風する。すると、花ｈ及び花ｈの根元の茎ｋ１の部分が風に押されて向きが変わる。そして、送風機３７が弱い送風に切り換えると、茎ｋ１及び花ｈの向きが元の位置に戻ろうとする。その花ｈの動きにより花粉が飛び受粉が可能となる。
【００３０】
間欠運転モードでも同様で、送風機３７で設定時間送風して茎ｋ及び花ｈの向きを変えてから送風機３７を停止することで茎ｋ１及び花ｈの向きが元の位置に戻る動作により、受粉が可能となる。
【００３１】
トマトの例で説明すると、花ｈは茎ｋの生長点近傍に集中するため、オペレータは、操作盤３６の昇降スイッチ４２で昇降モータ４０を操作し、支持体３９を適宜昇降させて送風機３７が生長点近傍に対向する位置に走行前に予め設定しておくと良い。
【００３２】
あるいは、培地１間を自動走行しながら、カメラ３８で花ｈの撮像結果から、花ｈが集中している箇所を検出し、それに応じて昇降モータを駆動して送風機３７の高さを自動的に設定する構成としても良い。この構成によると、苗ｋ毎の生長点近傍に送風を行うことが可能となる。
【００３３】
人工受粉用車両２９が培地１間を無人走行で前後進１往復して走行始端側に戻って停止すると、オペレータは当該走行した培地１から、走行車体３０後部側の手すり４３と前側遊転輪３１及び後側遊転輪３２を利用して次の培地１間に人工受粉用車両２９を手動で走行させて走行始端部にセットする。
【００３４】
図４及び図５の送風機３７は真横を向いている構成としているが、図８のように、送風向きを斜め上向きに設定しても良い。花ｈは図７に示すように通常下向きに垂れ下がっているので、斜め下側から送風することで、受粉を活発にすることができる。あるいは、送風機３７を上下方向や左右方向に首振りする構成としても良い。
【００３５】
本実施の形態の人工受粉用車両２９は専用機で記載しているが、植物栽培設備の培地間を走行する例えば、薬液散布車両や収穫台車等に送風機を搭載する多目的作業車両の形態としても良い。
【符号の説明】
【００３６】
１  培地
２９  人工受粉用車両
３０  走行車体
３７  送風機
３９  支持体
【図１】
2019041584.tif 000003
【図２】
2019041584.tif 000004
【図３】
2019041584.tif 000005
【図４】
2019041584.tif 000006
【図５】
2019041584.tif 000007
【図６】
2019041584.tif 000008
【図７】
2019041584.tif 000009
【図８】
2019041584.tif 000010
【図９】
2019041584.tif 000011
【図１０】
2019041584.tif 000012